(57)【要約】【課題】カテーテル部の遠位端の管腔への挿入作業を容易に行うことができるステントデリバリー装置を提供する。【解決手段】その遠位端近傍の外周面上にステント４を配置するためのステント配置部２７を有する内管２１と、内管２１がスライド可能に挿通されるとともに、ステント配置部２７に配置されたステント４を縮径させた状態で保持する外管２２とを有するカテーテル部２を備えるステントデリバリー装置１であって、カテーテル部２の遠位端近傍を湾曲させている。【選択図】図３
2012139471.tif 000002
【特許請求の範囲】
【請求項１】
その遠位端近傍の外周面上にステントを配置するためのステント配置部を有する内管と、前記内管がスライド可能に挿通されるとともに、前記ステント配置部に配置された前記ステントを縮径させた状態で保持する外管とを有するカテーテル部を備えるステントデリバリー装置であって、
前記カテーテル部の遠位端近傍を湾曲させたことを特徴とするステントデリバリー装置。
【請求項２】
前記ステント配置部に前記ステントを配置し、前記外管で前記ステント配置部に配置された前記ステントを縮径させた状態で保持し、前記ステントを含む前記内管および前記外管の遠位端近傍を一体的に湾曲させた状態で癖付け加工したことを特徴とする請求項１に記載のステントデリバリー装置。
【発明の詳細な説明】
【技術分野】
【０００１】
本発明は、ステントを体内に留置させるために用いられるステントデリバリー装置に関する。
【背景技術】
【０００２】
狭窄化した消化器管、血管、その他の管腔の開存を確保するために、狭窄部位にステントを留置する医療方法が知られている。ステントは、狭窄部位で拡張されることによって管腔が確保されるように留置されるデバイスである。ステントとしては、バルーン拡張型、自己拡張型などがあるが、自己拡張型のステントを管腔に留置するための装置としては、例えば、下記特許文献１に記載のものが知られている。
【０００３】
特許文献１に記載のステントデリバリー装置は、内管と、該内管がスライド可能に挿通された外管とを有するカテーテル部を備え、内管の遠位端近傍に設けられたステント配置部にステントを配置して、外管の遠位端近傍の内側で該ステントを縮径させた状態で保持し、該カテーテル部の近位端側において、内管に対して外管を引き抜くようにスライドさせることにより、ステントを拡径させるようにしている。カテーテル部の遠位端を目的とする狭窄部に導く際には、内管内に挿通され、先行して管腔内に挿入されたガイドワイヤーに沿って、該カテーテル部を進行させる（押し込む）操作が行われる。
【０００４】
ところで、例えば、肝臓内の胆管（肝内胆管）にステントを留置させる場合、肝内胆管は急角度に屈曲していることが多いため、デリバリー装置はガイドワイヤーに追従しながら、屈曲部に円滑に挿入できる必要がある。特に肝内胆管の分岐部において、一方の分岐に渡ってステントを留置した後、さらに他方の分岐に渡ってステントを配置する場合等には、先に留置したステントの側壁の隙間部分から当該他方の分岐に向かってカテーテル部の遠位端を円滑に挿入する必要がある。
【先行技術文献】
【特許文献】
【０００５】
【特許文献１】国際公開ＷＯ２００７／１２２９０１
【発明の概要】
【発明が解決しようとする課題】
【０００６】
しかしながら、従来のステントデリバリー装置では、カテーテル部の遠位端近傍は直線状に形成されているため、ガイドワイヤーが屈曲部に沿って曲がっていても、カテーテル部の遠位端が直進しようとするため、ガイドワイヤーに沿った方向への挿入作業が必ずしも容易でなかった。特に肝内胆管の分岐部において、一方の分岐に渡ってステントを留置した後、さらに他方の分岐に渡ってステントを配置する場合には、先に留置したステントにカテーテル部の遠位端が引っかかってしまい、ガイドワイヤーに沿った方向への挿入作業が難しい場合が多かった。
【０００７】
本発明は、このような点に鑑みてなされたものであり、カテーテル部の遠位端の挿入作業を容易に行うことができるステントデリバリー装置を提供することを目的とする。
【課題を解決するための手段】
【０００８】
本発明のステントデリバリー装置は、その遠位端近傍の外周面上にステントを配置するためのステント配置部を有する内管と、前記内管がスライド可能に挿通されるとともに、前記ステント配置部に配置された前記ステントを縮径させた状態で保持する外管とを有するカテーテル部を備えるステントデリバリー装置であって、前記カテーテル部の遠位端近傍を湾曲させたことを特徴とする。
【０００９】
本発明のステントデリバリー装置において、前記ステント配置部に前記ステントを配置し、前記外管で前記ステント配置部に配置された前記ステントを縮径させた状態で保持し、前記ステントを含む前記内管および前記外管の遠位端近傍を一体的に湾曲させた状態で癖付け加工することにより、湾曲させるようにできる。
【発明の効果】
【００１０】
本発明のステントデリバリー装置では、カテーテル部の遠位端近傍を湾曲させているので、管腔の屈曲部に沿ってガイドワイヤーが比較的に急激に曲がっている場合であっても、カテーテル部の遠位端が該ガイドワイヤーに追従し易くなり、ガイドワイヤーに沿った方向への挿入作業を円滑かつ容易に行うことができる。特に管腔の分岐部において、一方の分岐に渡ってステントを留置した後、さらに他方の分岐に渡ってステントを配置する場合等であっても、先に留置したステントにカテーテル部の遠位端が引っかかってしまうことが少なくなり、ガイドワイヤーに沿った方向への挿入作業が容易になる。
【図面の簡単な説明】
【００１１】
【図１】本発明の実施形態のステントデリバリー装置の全体構成を示す平面図である。
【図２】図１のＡ−Ａ線に沿った断面図である。
【図３】本発明の実施形態のステントデリバリー装置のカテーテル部の遠位端近傍を示す図である。
【図４】本発明の実施形態のステントデリバリー装置のカテーテル部の遠位端近傍の癖付け加工の際に用いるマンドレルを示す図である。
【図５】本発明の実施形態のステントデリバリー装置のカテーテル部の遠位端近傍の癖付け加工時の様子を示す図である。
【図６】模擬胆管の一方の分岐に渡ってステントを留置した状態を示す図である。
【図７】模擬胆管の他方の分岐にガイドワイヤーを挿入した状態を示す図である。
【図８】本発明の実施形態のステントデリバリー装置のカテーテル部を模擬胆管に挿入する際の利点を説明するための図である。
【図９】従来技術のステントデリバリー装置のカテーテル部を模擬胆管に挿入する際の欠点を説明するための図である。
【発明を実施するための形態】
【００１２】
以下、本発明の実施形態に係るステントデリバリー装置について、図面を参照して具体的に説明する。本実施形態のステントデリバリー装置は、自己拡張型のステントを総胆管の狭窄部に留置するために用いられる医療用処置具であり、内視鏡の処置具案内管を介して総胆管内に挿入する内視鏡方式の装置である。但し、本発明はこれに限定されず、バルーン拡張型のステントを管腔内に留置するために用いるステントデリバリー装置に適用することができる。また、胆管を対象とするものでなく、血管やその他の管腔を対象とするものであっても適用することができる。さらに、内視鏡の処置具案内管を介して挿入する内視鏡方式のもののみならず、直接針を刺してアプローチする経皮方式のものにも適用することができる。
【００１３】
図１は本発明の実施形態のステントデリバリー装置としてのステントデリバリーカテーテル（以下、単にカテーテルともいう）１の全体を示す平面図であり、図２は図１のＡ−Ａ線に沿って切断した断面図である。カテーテル１は患者の体内（管腔）に挿入される細長いカテーテル部２およびカテーテル部２の近位端側に接続され、体外側から体内のカテーテル部２を操作するための操作部３を概略備えている。なお、図１では、カテーテル部２の内部構造の理解を容易なものとするために、後述する外管２２が近位端側にスライド（移動）されてステント４が露出している状態を示している。また、後に詳述するように、外管２２が遠位端側に移動してステント４がその内部に収容保持された状態（組み上げられた状態）で、ステント４を含むカテーテル部２の遠位端近傍は湾曲しているが、図１では便宜的に直線的に描かれている。
【００１４】
図１および図２に示されるように、カテーテル部２は、遠位端および近位端を有する内管２１と、遠位端および近位端を有する外管２２と、内管２１の遠位端に設けられる先端チップ２３と、外管２２の外周を覆うように、外管２２と同心状に配される最外管２４とを備えている。先端チップ２３には、遠位端側に向けて細くなるようなテーパが形成されている。また、内管２１および外管２２の遠位端近傍には、それぞれ造影マーカー２５、２６が取り付けられている。
【００１５】
内管２１には、ガイドワイヤー７（図７参照）を挿通するための内腔が形成されている。ガイドワイヤー７を体内に挿入して体外と体内との経路を確保した後、カテーテル部２を構成する内管２１の内腔内に挿通されたガイドワイヤー７に沿ってカテーテル部２を押し込む（進行させる）ことにより、カテーテル部２の遠位端近傍を体内の目的部位に挿入することができる。また、内管２１の遠位端側には、ステント配置部２７が形成されており、ステント配置部２７には、ステント４が内管２１を覆うように配置されている。
【００１６】
本実施形態においては、内管２１は、ステント配置部２７よりも近位端側で、内管内層２１ａと該内管内層２１ａを覆うように形成された内管外層２１ｂとを備える二層構造とされている。そして、内管内層２１ａの遠位端は内管外層２１ｂの遠位端より遠位端側に位置しており、これによって内管外層２１ｂの遠位端に段差が形成されている。この段差は、ステント４を所定位置に留置する際に必要な操作である外管２２の近位端側へのスライド操作の際に、ステント４が外管２２と共にステント配置部２７から近位端側に移動してしまわないようにするためのストッパの役割を果たしている。
【００１７】
内管２１は可撓性を有しており、その材料としては、ある程度の剛性と摺動性が求められる。本実施形態においては、内管内層２１ａが高剛性のポリエーテルエーテルケトン（ＰＥＥＫ）樹脂であり、内管外層２１ｂが摺動性に優れる高密度ポリエチレン（ＨＤＰＥ）としている。なお、内管にはポリエーテルエーテルケトン（ＰＥＥＫ）樹脂、高密度ポリエチレン（ＨＤＰＥ）のみでなく、ポリテトラフルオロエチレン（ＰＴＦＥ）、高分子からなる樹脂層に金属線の編組体が埋設されたものが使用され、内管内層２１ａおよび内管外層２１ｂを組み合わせることにより多種類の内管を使用することができる。剛性や摺動性の向上等のために、材料の表面にコーティング等がなされていてもよい。内管２１の寸法は、通常、長さは外管２２と操作部３の長さを合計した程度であり、外径は０．５〜３．０ｍｍ程度である。
【００１８】
外管２２は、内管２１の外径よりもわずかに大きい内径を有しており、その内側に内管２１が挿通されている。内管２１の外周面と外管２２の内周面との間には、ステント４が装着できるように所定の隙間が形成されている。外管２２の近位端は、操作部３に接続されている。外管２２は、操作部３を操作することにより、内管２１に対して軸方向にスライド（相対移動）可能である。
【００１９】
外管２２は可撓性を有しており、高分子材料からなる樹脂層２２ａと、この樹脂層２２ａに埋設され、複数本の線材を螺旋状に編組してなる管状の編組体２２ｂとを備えている。編組体２２ｂは、ステント配置部２７に相当する部分以外の部分にのみ設けられている。
【００２０】
樹脂層２２ａを構成する材料としては、外管２２を透かしてその内部にあるステント４を目視できる透明な高分子材料が好ましい。例えば、ポリエチレン、ポリプロピレン等のポリオレフィン、ポリ塩化ビニル、ポリウレタン、エチレン−酢酸ビニル共重合体、ポリエチレンテレフタレート、ポリブチレンテレフタレート等のポリエステル、ポリアミド、ポリエーテルポリアミド、ポリエステルポリアミド、ポリテトラフルオロエチレン等のフッ素系樹脂等の各種樹脂材料や、スチレン系、ポリオレフィン系、ポリウレタン系、ポリエステル系、ポリアミド系、ポリブタジエン系等の各種熱可塑性エラストマーを使用することがでる。これらのうち２種以上を組み合わせて使用することもできる。
【００２１】
編組体２２ｂは、金属製の線材を複数本編組することにより構成され、全体として管状体をなす。この編組体２２ｂにおいて、各々の線材は、螺旋状に巻回された形状を有している。編組体２２ｂを構成する線材の材料は、例えば、金、銀、白金、銅、イリジウム、ニッケル、チタン、タングステン、鉄、アルミニウム、錫、亜鉛などの金属単体、ステンレス鋼、ニクロム鋼、ニッケル−チタン合金、チタン系合金などの合金が挙げられる。なかでも、加工性、強度、耐食性の観点より、ＳＵＳ３０４、ＳＵＳ３１６等のステンレス鋼を用いることが好ましい。
【００２２】
本実施形態のステントデリバリーカテーテル１に装着されるステント４は、収縮状態から自己の弾性力によって拡張する自己拡張型のステントであり、ニッケルチタン合金やコバルトクロム合金などの超弾性金属あるいは形状記憶金属等で構成される。
【００２３】
先端チップ２３は、カテーテル１の挿入抵抗を低減し、体内への挿入を容易にする役割を果たしており、ポリアミド、ポリアミドエラストマー、ポリウレタン、ポリテトラフルオロエチレン等のフッ素樹脂、およびポリエチレン等のポリオレフィン樹脂を含む当分野で周知のあらゆる好適な材料から形成することができる。
【００２４】
最外管２４は、操作部３から遠位端方向に、一定長さの外管２２の外周面を覆うように、外管２２と同心円状に配された管であり、その近位端側が操作部３におけるハウジング３１の前方キャップ３２の先端に固定されている。本実施形態において、最外管２４は必ずしも必須ではないが、外管２２がカテーテル部２の最外層になると、ステント４の留置操作である外管２２の近位端側へのスライドの際に、外管２２を手で保持することが不可能となる。なぜならば、近位端側に動こうとする外管２２を手で保持して、その位置で固定してしまうと、結果的に内管２１が体内壁に対して遠位端方向に移動してしまい、ステント４の留置位置がずれ易くなるからである。したがって、カテーテル１を手で保持することを可能とし、ステント４の留置位置をずれ難くする観点からは、最外管２４を設けることが好ましい。最外管２４は、通常、長さが外管２２よりも５００〜１５００ｍｍ程度短く、内径が外管２２の外径よりも０．０５〜１．０ｍｍ程度大きい寸法で設けられる。材料は特に限定はないが、合成樹脂を用いることができ、本実施形態においてはポリアセタールが使用されている。
【００２５】
内管２１および外管２２の遠位端近傍に装着されている造影マーカー２５，２６は、Ｘ線透視によりその位置が検出されて体内における標識となるものであり、例えば金、白金、タングステン等の金属材料や、硫酸バリウムや酸化ビスマスがブレンドされたポリマー等により形成される。内管２１および／または外管２２の遠位端近傍に造影マーカー２５，２６を装着すると、Ｘ線透視によって、造影マーカー２５，２６の位置を検出することが可能となり、カテーテル部２の先端部分の位置を正確に把握できるため好ましい。
【００２６】
特に、図示のように内管２１と外管２２の両方に造影マーカー２５，２６を装着すると、それぞれの管の相対位置を把握することでステント４が解放されたか否かが分かるため、好ましい。造影マーカー２５，２６の形状は特に限定されないが、リング状であることが好ましい。また、造影マーカー２５，２６は、内管２１および／または外管２２の内周面あるいは外周面に装着してもよいし、内管２１および／または外管２２に埋設してもよい。本実施形態では、上述のように内管外層２１ｂがステント４のストッパの役割を果たしているが、内管２１が一層のみから構成されている場合等には、内管２１の外周面にリング状の造影マーカー２５を取り付けて段差を形成することにより、造影マーカー２５にストッパの役割を付与することもできる。
【００２７】
操作部３としては、駆動レバー３３を操作して外管２２を近位端側に移動させる構成としたが、これには限定されず、例えば、手動操作により内管に対して外管を近位端側へ引くことによって、ステントを開放するような比較的簡易な構成としてもよい。要するに、外管を軸方向に移動させて、ステントの規制および開放を行うことができれば、その構成は特に限定されない。
【００２８】
なお、図１に示す状態においては、ステント４と内管２１および外管２２との位置関係を明確にするために、内管２１のステント配置部２７上に拡張していない状態のステント４が示されているが、本実施形態のステント４は自己拡張型のステントであるので、図示のように外管２２から開放されると、拡張してステント配置部２７の外周面から離れた状態となる。
【００２９】
本実施形態のステントデリバリーカテーテル１のカテーテル部２の遠位端近傍の部分は、図３に示されているように、組み上げた状態、すなわち、内管２１のステント配置部２７にステント４を縮径した状態で配置し、外管２２の遠位端近傍がステント４の外側を覆ってその内部に収容保持するように、内管２１に対してスライドさせた状態において、湾曲するように癖付け加工されている。この癖付け加工は、その遠位端近傍が直線的に形成された状態のカテーテル部２の内管２１（先端キャップ２３を含む）内に、図４に示すように予め所定形状に湾曲された金属等からなるマンドレル５を挿入して、図５に示されているような状態とし、オーブン（加熱装置）を用いて所定の温度で所定の時間だけ加熱することにより、行うことができる。
【００３０】
加熱後、カテーテル部２からマンドレル５を引き抜くと、カテーテル部２の遠位端近傍は、マンドレル５の屈曲に対してある程度戻ってしまい、マンドレル５の曲率よりもその曲率が小さくなってしまうため、この戻り分を考慮して、癖付け加工に用いるマンドレル５の曲率、オーブンによる加熱温度および加熱時間を設定して、カテーテル部２の遠位端近傍を目的とする曲率となるように癖付けする。
【００３１】
本実施形態では、一例として、８０℃で１時間加熱することにより、図３に示したような目的とする湾曲形状を得ている。本実施形態では、カテーテル部２の遠位端近傍の湾曲された部分（湾曲部）は、一例として、カテーテル部２の遠位端（先端キャップ２３の遠位端）から約２．０ｍｍの部分とし、その半径はｒ＝４．５ｍｍに設定している。
【００３２】
なお、湾曲部はステントの搭載部より先端部のみとし、半径は２．０〜１０．０ｍｍの範囲に規定する。
【００３３】
なお、本実施形態では、ステント４を含む組み上げた状態のカテーテル部２の遠位端近傍を全体として一体的に湾曲させるようにしているが、内管２１および外管２２を別々に分離した状態で癖付け加工した後に、ステント４と共に組み上げるようにしてもよい。但し、後者の場合は、癖付け加工および組み上げの工数が多くなるため、前者のように組み上げ後に一体として癖付け加工する方がより好ましい。
【００３４】
図６に総胆管をイメージした透明樹脂から作成した模擬胆管が示されている。同図において、十二指腸側（図において下側）の胆管６ａから分岐部を経て肝臓側の胆管６ｂおよび胆管６ｃに分岐されており、分岐部近傍において狭窄部を開存するため、胆管６ａから胆管６ｂに渡ってステント４が留置されている。この状態から胆管６ａおよび胆管６ｃに渡って、または胆管６ｃ内に新たなステントを留置させる場合には、まず、図７に示されているように、ガイドワイヤー７を胆管６ａ側から挿入し、留置済みのステント４の側壁の隙間部分を通過させて胆管６ｃに導く。
【００３５】
次いで、図８に示されているように、カテーテル部２（内管２１）内に挿通されたガイドワイヤー７に沿って、カテーテル部２を押し込む（進行させる）と、カテーテル部２の遠位端近傍が適宜に湾曲されているので、分岐部において留置済みのステント４に干渉することが少なく、ガイドワイヤー７の湾曲に沿って追従し易く、胆管６ｃ内に比較的に円滑に導くことができる。したがって、カテーテル部２の管腔（胆管）内への挿入作業が容易である。
【００３６】
これに対し、図９に示されているように、カテーテル部２の遠位端近傍が直線的に形成された従来構成のものでは、ガイドワイヤー７の湾曲に追従し難く、真っ直ぐに進行しようとするため、同図中矢印Ｂで示すように、カテーテル部２の遠位端が留置済みのステント４の側壁や胆管の内壁に干渉して引っかかることが多く、目的とする胆管６ｃへの挿入作業が難しいことがわかる。
【００３７】
カテーテル部２が胆管内の所定の位置に導入された後、操作部３の駆動レバー３３を操作すると、外管２２は操作部３の内部に引かれるように、内管２１に対して相対的に近位端側へ一定の距離を移動する。その結果、外管２２に完全に覆われていた内管２１のステント配置部２７の外周面上にあるステント４の遠位端側の一部が露出する。駆動レバー３３の操作を繰り返すことにより、最終的にステント４を正確に術者の意図した部位における内管２１のステント配置部２７の外周面上で完全に露出させることができる。そして、完全に露出したステント４は、外方に拡張して体内に留置される。
【００３８】
本実施形態では、総胆管内にステント４を留置する場合を例示したが、ステント４を留置する体内の部位は特に限定されず、例えば、食道、十二指腸、小腸、大腸などの消化器管、尿管、尿道などの泌尿器管、気管あるいは血管など、あらゆる体腔にステント４を留置するために用いることができる。
【００３９】
なお、以上説明した実施形態は、本発明の理解を容易にするために記載されたものであって、本発明を限定するために記載されたものではない。したがって、上述した実施形態に開示された各要素は、本発明の技術的範囲に属する全ての設計変更や均等物をも含む趣旨である。
【符号の説明】
【００４０】
１…ステントデリバリー装置（ステントデリバリーカテーテル）、
２…カテーテル部、
２１…内管、
２２…外管、
２３…先端チップ、
２４…最外管、
２５，２６…造影マーカー、
２７…ステント配置部、
３…操作部、
３１…ハウジング、
３２…先端キャップ、
３３…駆動レバー、
４…ステント、
５…マンドレル、
６…模擬胆管、
７…ガイドワイヤー。
【図１】
2012139471.tif 000003
【図２】
2012139471.tif 000004
【図３】
2012139471.tif 000005
【図４】
2012139471.tif 000006
【図５】
2012139471.tif 000007
【図６】
2012139471.tif 000008
【図７】
2012139471.tif 000009
【図８】
2012139471.tif 000010
【図９】
2012139471.tif 000011